(57)【要約】【課題】無線通信デバイスは、他の無線機器と有効に通信するために多数の方式および手順を実施する。レガシー・デバイスは、より高度なネットワーク上のデバイスによってサポートされる場合またはされない場合がある、レガシー通信方式によって通信する。共通的通信方式がないことまたは送信電力問題は、レガシー・デバイスがより高度なネットワークにデータまたは他のコンテンツを効果的に送る可能性を妨げる場合がある。【解決手段】レガシーなデバイスおよび高度化ネットワークの間に有効な通信を提供するとともに、高度化ネットワーク上のデバイスを登録するためのデバイスおよび方法が開示される。レガシーなデバイスは、そのレガシーなデバイスの通信範囲／能力の外のネットワーク上にて収集されるセンサー・データなどの、データを含むことができる。中継デバイスは、第１の通信方式によってそのデータを受信し、そして第２の通信方式によってデータを収集するサーバーにそのデバイスを送ることができる。【選択図】図２
2014241647.tif 000002
【特許請求の範囲】
【請求項１】
ネットワーク上のデバイスを登録する方法であって、前記方法は、
セントラルゲートウェイと通信することができない遠隔デバイスを識別するステップであって、前記セントラルゲートウェイは、ネットワーク上でアクセス可能なデバイスに対するデバイス登録情報のデータベースを保持する、ステップと、
前記遠隔デバイスから登録情報を受信するステップと、
前記遠隔デバイスの前記登録情報を前記セントラルゲートウェイに送るステップと
を備えたことを特徴とする方法。
【請求項２】
前記登録情報は、前記遠隔デバイスの識別情報、前記遠隔デバイスの能力、または前記遠隔デバイスのコンテンツリストのうちの少なくとも１つを含むことを特徴とする請求項１に記載の方法。
【請求項３】
前記セントラルゲートウェイは、前記セントラルゲートウェイが前記遠隔デバイスの通信範囲外にいることが原因で前記遠隔デバイスと直接通信することができないことを特徴とする請求項１に記載の方法。
【請求項４】
前記セントラルゲートウェイは、前記遠隔デバイスが前記セントラルゲートウェイとの共通無線通信スキームを欠いていることが原因で前記遠隔デバイスと直接通信することができないことを特徴とする請求項１に記載の方法。
【請求項５】
前記セントラルゲートウェイに登録されている、前記ネットワーク上のデバイスからデータを受信するステップと、
前記データを前記遠隔デバイスに送るステップと
をさらに備えたことを特徴とする請求項１に記載の方法。
【請求項６】
データを前記遠隔デバイスから受信するステップと
前記セントラルゲートウェイに登録されている、前記ネットワーク上のデバイスに前記データを送るステップと、
をさらに備えたことを特徴とする請求項１に記載の方法。
【請求項７】
前記登録情報は、第１の無線通信スキームを介して受信され、および前記登録情報は、第２の無線通信スキームを介して送られることを特徴とする請求項１に記載の方法。
【請求項８】
前記第１の無線通信スキームは、Ｂｌｕｅｔｏｏｔｈであり、および前記第２の無線通信スキームはＩＥＥＥ  ８０２．１１．であることを特徴とする請求項７に記載の方法。
【請求項９】
複数のネットワークデバイスに対するコンテンツリストを前記セントラルゲートウェイから受信するステップをさらに備えたことを特徴とする請求項１に記載の方法。
【請求項１０】
ネットワーク上のデバイスを登録するデバイスであって、
遠隔デバイスを識別し、およびネットワーク上に含まれるデバイスに対するデバイス登録情報のデータベースを保持するセントラルゲートウェイを識別するプロセッサと、
前記遠隔デバイスから登録情報を受信し、および前記登録情報を前記セントラルゲートウェイに送る送受信機であって、前記遠隔デバイスは前記セントラルゲートと直接通信することができない、送受信機と
を備えたことを特徴とするデバイス。
【請求項１１】
前記登録情報は、前記遠隔デバイスの識別情報、前記遠隔デバイスの能力、または前記遠隔デバイスのコンテンツリストのうちの少なくとも１つを含むことを特徴とする請求項１０に記載のデバイス。
【請求項１２】
前記セントラルゲートウェイは、前記セントラルゲートウェイが前記遠隔デバイスの通信範囲外にいることが原因で前記遠隔デバイスと直接通信することができないことを特徴とする請求項１０に記載のデバイス。
【請求項１３】
前記セントラルゲートウェイは、前記セントラルゲートウェイが前記遠隔デバイスとの共通無線通信スキームを欠いていることが原因で前記遠隔デバイスと直接通信することができないことを特徴とする請求項１０に記載のデバイス。
【請求項１４】
前記送受信機は、前記セントラルゲートウェイに登録されている、前記ネットワーク上のデバイスからデータを受信し、および前記データを前記遠隔デバイスに送ることを特徴とする請求項１０に記載のデバイス。
【請求項１５】
前記送受信機は、データを前記遠隔デバイスから受信し、および前記セントラルゲートウェイに登録されている、前記ネットワーク上のデバイスに前記データを送ることを特徴とする請求項１０に記載のデバイス。
【請求項１６】
前記送受信機は、第１の無線通信スキームを介して前記登録情報を受信し、および前記送受信機は、第２の無線通信スキームを介して前記登録情報を送ることを特徴とする請求項１０に記載のデバイス。
【請求項１７】
前記第１の無線通信スキームは、Ｂｌｕｅｔｏｏｔｈであり、および前記第２の無線通信スキームはＩＥＥＥ  ８０２．１１．であることを特徴とする請求項１６に記載のデバイス。
【請求項１８】
前記送受信機は、前記ネットワーク上でアクセス可能な複数のデバイスに対するコンテンツリストを前記セントラルゲートウェイから受信するステップをさらに備えたことを特徴とする請求項１０に記載のデバイス。
【発明の詳細な説明】
【技術分野】
【０００１】
この出願は、無線通信システムに関する。
【０００２】
（関連出願への相互参照）
本出願は、２０１０年２月１日に出願された名称「ＭＥＴＨＯＤ  ＡＮＤ  ＡＰＰＡＲＡＴＵＳ  ＦＯＲ  ＤＡＴＡ  ＰＡＲＣＥＬ  ＣＯＭＭＵＮＩＣＡＴＩＯＮ  ＦＯＲ  ＣＥＬＬＵＬＡＲ  ＭＡＣＨＩＮＥ−ＴＯ−ＭＡＣＨＮＥ  ＡＰＰＬＩＣＡＴＩＯＮＳ（セルラー方式のマシンからマシンへのアプリケーションに対するデータ・パーセル通信のための方法および装置）」の米国特許出願番号第６１／３００，２３７号および２０１０年１月８日に出願された名称「ＭＥＴＨＯＤ  ＡＮＤ  ＡＰＰＡＲＡＴＵＳ  ＦＯＲ  ＡＳＳＩＳＴＥＤ  ＤＩＳＣＯＶＥＲＹ  ＩＮ  ＷＩＲＥＬＥＳＳ  ＮＥＴＷＯＲＫＳ（無線ネットワークにおける補助された発見のための方法および装置）」の米国特許出願番号第６１／２９３，４６３号の利益を主張し、これらを参照することにより、それらの内容を本明細書の一部とする。
【背景技術】
【０００３】
無線通信デバイスは、他の無線機器と有効に通信するために多数の方式および手順を実施する。レガシー・デバイスはややもすれば、より高度なネットワーク上のデバイスによってはサポートされる場合またはされない場合がある、レガシー通信方式によって通信する。さらに加えてある遠隔デバイスは、それらの最大送信電力レベルに基づき定義された通信範囲を超えて送信することができないという意味で、電力的に制限される場合がある。共通的通信方式がないことまたは送信電力問題は、レガシー・デバイスがより高度なネットワークにデータまたは他のコンテンツを効果的に送る可能性を妨げる場合がある。そのうえ、高度なネットワーク上に含まれるデバイスは、直接通信することが可能ではないためややもすれば、レガシー・デバイスの存在に気付かないであろう。
【０００４】
代表的レガシー・デバイスは、無線写真フレームなどのＢｌｕｅｔｏｏｔｈ（登録商標）が可能なデバイスであり得る。無線写真フレームは、Ｂｌｕｅｔｏｏｔｈ通信をサポートするデバイスとの間でデジタル写真などのコンテンツを送りそして／または受信することが可能である。写真フレームの場合には、Ｂｌｕｅｔｏｏｔｈをサポートしないデバイスはデジタル写真を写真フレームに発表することができず、またはフレームからデジタル写真を受け取ることができないであろう。レガシー・デバイスの通信上の制約は、それがレガシーな通信方式をサポートしないデバイスにアクセスすることを妨げる。例えばＷｉ−Ｆｉが可能なコンピューターは、写真フレームに対しては利用可能な写真コンテンツを持つことができるが、Ｂｌｕｅｔｏｏｔｈの接続性をサポートすることができない。この場合においてコンピューターおよび写真フレームは、コンテンツを通信し、または共有することができないであろう。
【０００５】
別の例においてレガシー・デバイスは、その近傍一般における外部刺激を監視するセンサーと結合された無線送信機である場合がある。例えばセンサーが街路灯の機能性を監視し、それが一日の正しい時刻の間に動作していることを確実にすることができる。しかしながらセンサーと結合された無線送信機が電力的に制約されている場合、またはそれがそのセンサーからのデータを集約するサーバーにセンサー・データを送ることを可能とするであろう無線通信方式をサポートしない場合がある。例えばセンサーと結合された送信機がほんの数メーターの最大送信距離しか有していないなら、保全要員のメンバーは、センサーのセンサー・データ有無を定期的に手動にてチェックすることが必要となる場合がある。これは、ユーザーがセンサーのところに行き、センサー・データ送信を手動にて受信し、そして次にセンサーから手動にて受信した情報とともに更新情報をサーバーに送ることを必要とする。データを集約するデバイスは、センサーおよびその送信機の位置から遠く離れたネットワーク上に位置するサーバーであり、データ集約は時間が掛るものであり、そして大いなる人手介入を必要とする場合がある。
【発明の概要】
【０００６】
多くのセンサーは、エネルギー使用を最小にするために送信電力を制限することになり、そしてＢｌｕｅｔｏｏｔｈ、Ｚｉｇｂｅｅ（登録商標）、または同様なものなどの比較的低電力の送信を使用する場合があることが想定される。この場合にはレガシー通信方式によって送信するセンサーは、センサーが送信先と直接通信することが可能ではないため、センサー・データをその適切な送信先に首尾よく送信できないことがある。
【０００７】
レガシー・デバイスおよびより高度なネットワーク上に含まれるデバイスの間の有効な通信を可能とするために、中継デバイス（intermediary device）がレガシー・デバイスおよび高度化ネットワークの間の通信セッションを容易にするための、通常はデバイスのユーザーはほとんどまたは全く人手介入を必要としない、システムおよび方法が開示される。代表的実施形態においては、レガシー通信方式および高度化通信方式の両方をサポートする無線機器がレガシー・デバイスから登録情報を受信し、そして高度化ネットワーク上のデバイスにその登録情報を送信する。中継デバイスはまた、高度化ネットワーク上のデバイスからのデータまたはコンテンツをレガシー・デバイスに送ることができる。
【０００８】
Ｂｌｕｅｔｏｏｔｈが可能な写真フレームの例においては、例えばＷｉ−Ｆｉコンピューターは、Ｂｌｕｅｔｏｏｔｈ接続をサポートしないが故に、写真フレームにコンテンツを送ることができないであろう。しかしながらＢｌｕｅｔｏｏｔｈおよびＷｉ−Ｆｉの両方をサポートする中継デバイスを導入することによって、写真フレームおよびコンピューターの間の有効な通信を確立することが可能である。例えばデジタル・カメラが、ＢｌｕｅｔｏｏｔｈおよびＷｉ−Ｆｉ通信方式の両方をサポートすることができる。レガシー写真フレームを発見すると、Ｗｉ−Ｆｉネットワーク上に含まれるデバイスおよびこれらのデバイスのコンテンツおよび／または能力の一覧表を維持する、Ｗｉ−Ｆｉネットワーク上に含まれるＣＧＷ（Centralized Gateway：集中化ゲートウェイ）に、カメラがコンタクトすることができる。カメラは次に、写真フレームを含むように一覧表を更新することが可能なように、登録情報をＣＧＷに送ることができる。登録情報には、写真フレームの識別情報、写真フレームの上に含まれるコンテンツ、写真フレームの能力、写真フレームへのコンタクト方法、または同様なものなどの情報を含むことができる。
【０００９】
実施形態は、所与の地理的領域に位置する多数のセンサーを想定する。例えば一連のセンサーが、ある領域におけるすべての街灯、例えば公園中の街灯、を監視することができる。センサーはまた、センサーから近くの無線機器までデータを送信するために、短距離の無線送信機を備えることができる。しかしながら街灯に関してセンサー・データを収集しそして保守するサーバーは、短距離無線送信方式をサポートしない場合、またはそれがセンサーの送信範囲の外にある場合がある。実施形態は、レガシー通信方式および高度化通信方式の両方をサポートするＷＴＲＵ（Wireless Transmit/Receive Unit：無線送受信ユニット）などの、中継デバイスを想定する。
【００１０】
例えばレガシー・デバイスはＢｌｕｅｔｏｏｔｈをサポートすることができ、そしてＷＴＲＵのオペレーターが公園を歩いて通り抜ける間に、ＷＴＲＵがそれを発見することができる。レガシー・デバイスを発見した後に、センサーの識別情報に基づき、街灯センサーからデータを収集するサーバーを識別するようにＷＴＲＵをプログラムすることができる。ＷＴＲＵは次に、Ｂｌｕｅｔｏｏｔｈを介してレガシー・デバイスからセンサー・データを受信することができる。ＷＴＲＵは次に、例えばセルラー方式のデータ・ネットワークを介するなど、高度化通信方式によってサーバーにデータを送ることができる。それをサーバーに送る前にＷＴＲＵがしばらくデータを格納することができるともまた、想定される。ＷＴＲＵは、データをサーバーに送るための絶対的または相対的コスト、あるいはその帯域幅を最小にするために、データを格納し、そして後でそれを送信することができる。ＷＴＲＵはまた、無線接続のセキュリティー・レベルが十分強固ではないという判定に基づき、データをしばらくの間格納しておくことができる。ＷＴＲＵは、サーバーから受信された命令に基づき、データを格納しておくことができる。
【００１１】
実施形態が、多数のＷＴＲＵがこの方法を実施することを想定し、従ってセンサー・データを含む多数のデータ・パーセル（data parcel）の配信を可能とする。開示されたシステムによって充分多くの数のＷＴＲＵが動作する場合には、ＷＴＲＵが広大な地理的領域に亘って増殖することになるため、システムの通信可能範囲は増大することになる。配信されるべきデータを有するレガシー・デバイスが中継ＷＴＲＵと接触することになる確率もまた、大いに増大することになる。実施形態は、データを有するデバイスの地理的近傍内にあるＷＴＲＵがデバイスからレガシー接続を介して自動的にデータを受信し、そして僅かなユーザー人手入力による高度化接続を介してデータをサーバーに送信することができると想定している。実施形態はまた、データのための送信先とのリンクを確立する能力のない低電力／低コストの接続を介して、データを有するデバイスがＷＴＲＵと通信することができると想定している。いくつかの実施形態においては、中継デバイスのオペレーターが何ら介入することなしで全処理を為すことができる。
【図面の簡単な説明】
【００１２】
添付図面に関連して例として与えられた以下の説明から、より詳細な理解を得ることができる。
【００１３】
【図１Ａ】１つまたは複数の開示された実施形態を実施することができる一例の通信システムの系統図である。
【図１Ｂ】図１Ａにおいて例証された通信システムの中で使用することができる一例のＷＴＲＵ（Wireless Transmit/Receive Unit：無線送受信ユニット）の系統図である。
【図１Ｃ】図１Ａにおいて例証された通信システムの中で使用することができる一例の無線アクセス・ネットワークおよび一例のコア・ネットワークの系統図である。
【図２】１つまたは複数の開示された実施形態を実施することができる一例のシステムの系統図である。
【図３】１つまたは複数の開示された実施形態を実行することができる一例の方法のフロー図である。
【図４】１つまたは複数の開示された実施形態を実施することができる一例のシステムの系統図である。
【図５】１つまたは複数の開示された実施形態を実行することができる一例の方法のフロー図である。
【発明を実施するための形態】
【００１４】
図１Ａは、１つまたは複数の開示された実施形態を実施することができる一例の通信システム１００の図である。通信システム１００は、音声、データ、ビデオ、メッセージ、ブロードキャスト等のコンテンツを複数の無線ユーザーに提供する複数のアクセス・システムであることができる。通信システム１００は、無線の帯域幅を含むシステム・リソースの共有を通して複数の無線ユーザーがそのようなコンテンツにアクセスすることを可能にすることができる。例えば通信システム１００は、ＣＤＭＡ（Code Division Multiple Access：符号分割多元接続）、ＴＤＭＡ（Time Division Multiple Access：時分割多元接続）、ＦＤＭＡ（Frequency Division Multiple Access：周波数分割多元接続）、ＯＦＤＭＡ（Orthogonal FDMA：直交ＦＤＭＡ）、ＳＣ−ＦＤＭＡ（Single-Carrier FDMA：単一キャリアＦＤＭＡ）、および同様なものなどの、１つまたは複数のチャンネル・アクセス方法を採用することができる。
【００１５】
開示された実施形態は任意の数のＷＴＲＵ、基地局、ネットワーク、および／またはネットワーク要素を想定することが理解されるであろうが、図１Ａにおいて示されるように通信システム１００は、ＷＴＲＵ（Wireless Transmit/Receive Unit：無線送受信ユニット）１０２ａ、１０２ｂ、１０２ｃ、１０２ｄ、ＲＡＮ（Radio Access Network：無線アクセス・ネットワーク）１０４、コア・ネットワーク１０６、ＰＳＴＮ（Public Switched Telephone Network：公衆電話ネットワーク）１０８、インターネット１１０、および他のネットワーク１１２を含むことができる。ＷＴＲＵ１０２ａ、１０２ｂ、１０２ｃ、１０２ｄのそれぞれは、無線の環境において動作しそして／または通信するように構成された何れの種別のデバイスであることもできる。例としてＷＴＲＵ１０２ａ、１０２ｂ、１０２ｃ、１０２ｄは、無線の信号を送信しそして／または受信するように構成することができ、そしてＵＥ（User Equipment：ユーザー機器）、移動局（Mobile Station）、固定型または移動体の加入者ユニット、ページャー、セルラー方式電話、ＰＤＡ（Personal Digital Assistant：携帯情報端末）、スマートフォン、ラップトップ、ネットブック（netbook）、パソコン（personal computer）、無線センサー、家電、および同様なものを含むことができる。
【００１６】
通信システム１００はまた、基地局１１４ａおよび基地局１１４ｂを含むことができる。基地局１１４ａ、１１４ｂのそれぞれは、ＷＴＲＵ１０２ａ、１０２ｂ、１０２ｃ、１０２ｄのうち少なくとも１つに無線によりインターフェイスし、コア・ネットワーク１０６、インターネット１１０、および／またはネットワーク１１２などの、１つまたは複数の通信ネットワークへのアクセスを容易にするように構成された、何れの種別のデバイスであることもできる。例として基地局１１４ａ、１１４ｂは、ＢＴＳ（Base Transceiver Station：基本送受信局）、ノードＢ（Node-B）、ｅノードＢ（eNode B）、ホームノードＢ（home Node B）、ホームｅノードＢ（home eNode B）、サイト・コントローラー、ＡＰ（Access Point：アクセス・ポイント）、無線ルーター、および同様なものであることができる。基地局１１４ａ、１１４ｂはそれぞれ単一の要素として表現されるが、基地局１１４ａ、１１４ｂが任意の数の相互接続された基地局および／またはネットワーク要素を含むことができることが理解されよう。
【００１７】
基地局１１４ａがＲＡＮ１０４の一部であることができ、それがまた、ＢＳＣ（Base Station Controller：基地局コントローラー）、ＲＮＣ（Radio Network Controller：無線ネットワーク・コントローラー）、リレー・ノード等の、他の基地局および／またはネットワーク要素（図示せず）を含むことができる。基地局１１４ａおよび／または基地局１１４ｂは、セル（図示せず）と呼ぶことができる特定の地理的領域の中で無線信号を送信しそして／または受信するように構成することができる。セルはさらにセル・セクターに分割することができる。例えば、基地局１１４ａに関連付けられたセルを３つのセクターに分割することができる。したがって実施形態においては、基地局１１４ａは３つ、すなわちセルの各セクターあたり１つ、の送受信機を含むことができる。別の実施形態においては、基地局１１４ａはＭＩＭＯ（Multiple-Input Multiple Output：多入力多出力）技術を採用することができ、そしてしたがって、セルの各セクターに対して複数の送受信機を利用することができる。
【００１８】
基地局１１４ａ、１１４ｂは、無線インターフェイス１１６によりＷＴＲＵ１０２ａ、１０２ｂ、１０２ｃ、１０２ｄのうちの１つまたは複数と通信することができ、無線インターフェイス１１６は適当な何れの無線通信リンク（例えばＲＦ（Radio Frequency：無線周波数）、マイクロ波、ＩＲ（InfraRed：赤外線）、ＵＶ（UltraViolet：紫外線）、可視光等）であることができる。無線インターフェイス１１６は、適当な何れのＲＡＴ（Radio Access Technology：無線アクセス技術）を使用して確立することもできる。
【００１９】
より詳しく述べると、上で述べたように、通信システム１００は、複数のアクセス・システムであることができ、そしてＣＤＭＡ、ＴＤＭＡ、ＦＤＭＡ、ＯＦＤＭＡ、ＳＣ−ＦＤＭＡ、および同様なものなどの、１つまたは複数のチャンネル・アクセス・プロトコルを採用ことができる。例えばＲＡＮ１０４における基地局１１４ａおよびＷＴＲＵ１０２ａ、１０２ｂ、１０２ｃは、ＵＴＲＡ（ＵＭＴＳ（Universal Mobile Telecommunications System：統合無線通信システム）Terrestrial Radio Access：統合地上無線アクセス）などの無線技術を実施することができ、これによりＷＣＤＭＡ（登録商標）（Wideband CDMA：広帯域ＣＤＭＡ）を使用する無線インターフェイス１１６を確立することができる。ＷＣＤＭＡは、ＨＳＰＡ（High-Speed Packet Access：高速パケット・アクセス）および／または、ＨＳＰＡ＋（Evolved HSPA：発展型ＨＳＰＡ）などの通信プロトコルを含むことができる。ＨＳＰＡは、ＨＳＤＰＡ（High-Speed Downlink Packet Access：高速下りパケット・アクセス）、および／またはＨＳＵＰＡ（High-Speed Uplink Packet Access：高速上りパケット・アクセス）を含むことができる。
【００２０】
別の実施形態において、基地局１１４ａおよびＷＴＲＵ１０２ａ、１０２ｂ、１０２ｃは、Ｅ−ＵＴＲＡ（Evolved UMTS Terrestrial Radio Access：発展型ＵＴＲＡ）などの無線技術を実施することができ、これにより、ＬＴＥ（Long Term Evolution：長期進化型）および／またはＬＴＥ−Ａ（LTE-Advanced：長期進化型―Ａ）を使用する無線インターフェイス１１６を確立することができる。
【００２１】
他の実施形態において、基地局１１４ａおよびＷＴＲＵ１０２ａ、１０２ｂ、１０２ｃは、ＩＥＥＥ８０２．１６（すなわちＷｉＭＡＸ（Worldwide Interoperability for Microwave Access：無線都市域網）、ＣＤＭＡ２０００、ＣＤＭＡ２０００  ＩＸ、ＣＤＭＡ２０００  ＥＶーＤＯ、（ＩＳ−２０００（Interim Standard2000：暫定基準２０００）、ＩＳ−９５（Interim Standard95：暫定基準９５）、ＩＳ−８５６（Interim Standard856：暫定基準８５６）、ＧＳＭ（登録商標）（Global System for Mobile communication）、ＥＤＧＥ（Enhanced Data Rates for GSM Evolution）、ＧＥＲＡＮ（ＧＳＭ  ＥＤＧＥ）、および同様なものなどの無線技術を実施することができる。
【００２２】
図１Ａにおける基地局１１４ｂは、例えば、無線ルーター、ホームノードＢ、ホームｅノードＢ、またはアクセス・ポイントであり、そして勤務地、家庭、乗り物、キャンパス、および同様なものなどの、局所化された領域において無線の接続性を容易にするために、適当な何れのＲＡＴを利用することもできる。一実施形態において、基地局１１４ｂおよびＷＴＲＵ１０２ｃ、１０２ｄは、ＩＥＥＥ８０２．１１などの無線技術を実施し、ＷＬＡＮ（Wireless Local Area Network：無線ローカル・エリア・ネットワーク）を確立することができる。別の実施形態においては、基地局１１４ｂおよびＷＴＲＵ１０２ｃ、１０２ｄは、ＩＥＥＥ８０２．１５などの無線技術を実施し、ＷＰＡＮ（Wireless Personal Area Network：無線ＰＡＮ）を確立することができる。さらに別の実施形態においては、基地局１１４ｂおよびＷＴＲＵ１０２ｃ、１０２ｄは、セルラー方式のＲＡＴ（例えばＷＣＤＭＡ、ＣＤＭＡ２０００、ＧＳＭ、ＬＴＥ、ＬＴＥ−Ａ等）を利用し、ピコセル（picocell）またはフェムトセル（femtocell）を確立することができる。図１Ａに示されるように、基地局１１４ｂはインターネット１１０に直接接続を持つことができる。したがって基地局１１４ｂは、コア・ネットワーク１０６を介してインターネット１１０にアクセスすることができる必要はない。
【００２３】
ＲＡＮ１０４は、コア・ネットワーク１０６と通信状態にあることができ、コア・ネットワーク１０６は、ＷＴＲＵ１０２ａ、１０２ｂ、１０２ｃ、１０２ｄのうちの１つまたは複数に対して音声、データ、アプリケーション、および／またはＶｏＩＰ（Voice over Internet Protocol）サービスを提供するように構成された何れの種別のネットワークであることもできる。例えばコア・ネットワーク１０６は、呼制御、課金サービス、移動体位置準拠のサービス、プリペイド通話、インターネット接続性、ビデオ分配等、を提供し、そして／またはユーザー認証などのハイレベルのセキュリティ機能を実行することができる。図１Ａにおいては示されないが、ＲＡＮ１０４および／またはコア・ネットワーク１０６が、ＲＡＮ１０４と同一ＲＡＴまたは異なったＲＡＴを採用する他のＲＡＮと直接的または間接的な通信状態にあることができることが理解されよう。例えばＥ−ＵＴＲＡ無線技術を利用することができるＲＡＮ１０４に接続されていることに加えて、コア・ネットワーク１０６がまた、ＧＳＭ無線技術を採用する別のＲＡＮ（図示せず）と通信状態にあることができる。
【００２４】
コア・ネットワーク１０６はまた、ＷＴＲＵ１０２ａ、１０２ｂ、１０２ｃ、１０２ｄがＰＳＴＮ１０８、インターネット１１０、および／または他のネットワーク１１２にアクセスするためのゲートウェイとしての機能を果たすことができる。ＰＳＴＮ１０８は、ＰＯＴＳ（Plain Old Telephone Service：基本電話サービス）を提供する回線交換（circuit-switched）電話ネットワークを含むことができる。インターネット１１０は、ＴＣＰ／ＩＰインターネット・プロトコル群における、ＴＣＰ（Transmission Control Protocol：送信制御プロトコル）、ＵＤＰ（User Datagram Protocol：ユーザー・データグラム・プロトコル）、ＩＰ（Internet Protocol：インターネット・プロトコル）などの、共通的通信方式を使用する相互接続されたコンピューター・ネットワークおよびデバイスより成るグローバルなシステムを含むことができる。ネットワーク１１２は、他のサービス・プロバイダーが所有しそして／または運用する有線または無線の通信ネットワークを含むことができる。ネットワーク１１２は例えば、ＲＡＮ１０４と同一ＲＡＴまたは異なったＲＡＴを採用することができる、１つまたは複数のＲＡＮに接続される別のコア・ネットワークを含むことができる。
【００２５】
通信システム１００におけるＷＴＲＵ１０２ａ、１０２ｂ、１０２ｃ、１０２ｄのいくつかまたはすべてがマルチ・モード能力を含むことができ、すなわちＷＴＲＵ１０２ａ、１０２ｂ、１０２ｃ、１０２ｄが別々の無線リンクにより別々の無線ネットワークと通信するために複数の送受信機を含むことができる。図１Ａにおいて示されたＷＴＲＵ１０２ｃは例えば、セルラー方式の無線技術を採用することができる基地局１１４ａと、およびＩＥＥＥ８０２無線技術を採用することができる基地局１１４ｂと通信するように構成することができる。
【００２６】
図１Ｂは一例のＷＴＲＵ１０２の系統図である。図１Ｂにおいて示されるように、ＷＴＲＵ１０２は、処理装置１１８、送受信機１２０、送／受信要素１２２、スピーカー／マイクロホン１２４、キーパッド１２６、ディスプレイ／タッチパッド１２８、脱着不可メモリ１３０、脱着可能メモリ１３２、電源１３４、ＧＰＳ（Global Positioning System：全地球側位システム）チップセット１３６、および他の周辺機器１３８を含むことができる。実施形態と首尾一貫している範囲で、ＷＴＲＵ１０２が以上の要素の何れの部分結合を含むこともできることが理解されよう。
【００２７】
処理装置１１８は、汎用目的処理装置、専用目的処理装置、従来型処理装置、ＤＳＰ（Digital Signal Processor：デジタル信号処理装置）、複数のマイクロ処理装置、ＤＳＰコアに関連付けられた１つまたは複数のマイクロ処理装置、コントローラー、マイクロ・コントローラー、ＡＳＩＣ（Application Specific Integrated Circuit：特定用途向けＩＣ）、ＦＰＧＡ（Field Programmable Gate Array）回路、他の何れかの種別のＩＣ（Integrated Circuit：集積回路）、状態マシン、および同様なものであることができる。
処理装置１１８は、信号符号化、データ処理、電源制御、入力／出力処理、および／またはＷＴＲＵ１０２が無線環境において動作することを可能にする他の如何なる機能性をも実行することができる。処理装置１１８は、送受信機１２０と結合することができ、これを送／受信要素１２２に結合することができる。図１Ｂは処理装置１１８および送受信機１２０を別々の構成要素として表現しているが、処理装置１１８および送受信機１２０を電子パッケージまたはチップ中に一緒に集積することができることが理解されよう。
【００２８】
送／受信要素１２２は、無線インターフェイス１１６により、基地局（例えば基地局１１４ａ）との間で、信号を送信または受信するように構成される。例えば実施形態において送／受信要素１２２は、ＲＦ信号を送信しそして／または受信するように構成されたアンテナであることができる。別の実施形態においては送／受信要素１２２は、例えば、ＩＲ、ＵＶ、または可視光信号を送信しそして／または受信するように構成されたエミッタ／検出器であることができる。さらに別の実施形態においては送／受信要素１２２は、ＲＦおよび光信号の両方を送信しそして受信するように構成することができる。送／受信要素１２２は、無線信号の何れの組み合わせを送信しそして／または受信するように構成することもできることが理解されよう。
【００２９】
さらに加えて、図１Ｂにおいては送／受信要素１２２が単一の要素として表現されているが、ＷＴＲＵ１０２は何れの数の送／受信要素１２２を含むこともできる。より詳しく述べると、ＷＴＲＵ１０２はＭＩＭＯ技術を採用することができる。したがって、一実施形態においてＷＴＲＵ１０２は、無線インターフェイス１１６により無線信号を送信しそして受信するために、２つまたはそれ以上の送／受信要素１２２（例えば複数アンテナ）を含むことができる。
【００３０】
送受信機１２０は送／受信要素１２２によって送信されるべき信号を変調し、そして送／受信要素１２２によって受信される信号を復調するように構成することができる。上述したようにＷＴＲＵ１０２はマルチ・モード能力を持つことができる。したがって送受信機１２０は、例えばＵＴＲＡおよびＩＥＥＥ８０２．１１などの、複数のＲＡＴを介してＷＴＲＵ１０２が通信することを可能にするために複数の送受信機を含むことができる。
【００３１】
ＷＴＲＵ１０２の処理装置１１８は、スピーカー／マイクロホン１２４、キーパッド１２６、および／またはディスプレイ／タッチパッド１２８（例えば、ＬＣＤ（Liquid Crystal Display：液晶表示装置）表示ユニットまたはＯＬＥＤ（Organic Light-Emitting Diode：有機発光ダイオード）表示ユニット）に結合することができ、そしてこれらからユーザー入力データを受信することができる。処理装置１１８はまた、スピーカー／マイクロホン１２４、キーパッド１２６、および／またはディスプレイ／タッチパッドにユーザー・データを出力することができる。さらに加えて、処理装置１１８は、脱着不可メモリ１３０および／または脱着可能メモリ１３２などの、適当な如何なる種別のメモリとの間でも、情報にアクセスし、そしてデータを格納することができる。脱着不可メモリ１３０は、ＲＡＭ（Random-Access Memory：ランダム・アクセス・メモリ）、ＲＯＭ（Read-Only Memory：読み出し専用メモリ）、ハード・ディスク、または他の如何なる種別のメモリ記憶デバイスを含むこともできる。脱着可能メモリ１３２は、ＳＩＭ（Subscriber Identity Module：利用者識別モジュール）カード、メモリ・スティック、ＳＤ（Secure Digital）メモリ・カード、および同様なものを含むことができる。他の実施形態においては、処理装置１１８は、物理的にはＷＴＲＵ１０２上ではなく、サーバーまたは家庭用コンピューター（図示せず）上などに位置するメモリとの間で情報にアクセスし、そしてデータを格納することができる。
【００３２】
処理装置１１８は、電源１３４から電力を受け取ることができ、そしてＷＴＲＵ１０２中の他の構成要素へ電力を分配しそして／または制御するように構成することができる。
電源１３４は、ＷＴＲＵ１０２に電力を供給するための適当な何れのデバイスであることもできる。例えば電源１３４は、１つまたは複数の乾電池（例えばＮｉＣｄ（Nickel-Cadmium：ニッケル・カドミウム）、ＮｉＺｎ（Nickel-Zinc：ニッケル亜鉛）、ＮｉＭＨ（Nickel Metal Hydride：ニッケル金属水素化物）、Ｌｉ−ｉｏｎ（Lithium-ion：リチウム・イオン）等）、太陽電池、燃料電池、および同様なものを含むことができる。
【００３３】
処理装置１１８はまた、ＧＰＳチップセット１３６と結合することができ、ＷＴＲＵ１０２のその時点の位置に関する位置情報（例えば経度および緯度）を提供するようにそれを構成することができる。ＧＰＳチップセット１３６からの情報に加えて、またはその代わりに、ＷＴＲＵ１０２は基地局（例えば基地局１１４ａ、１１４ｂ）から位置情報を無線インターフェイス１１６により受信し、そして／または２つまたはそれ以上の近傍の基地局から受信される信号のタイミングに基づきその位置を決定することができる。ＷＴＲＵ１０２が、実施形態と首尾一貫している範囲であれば、適当な何れの位置同定法によって位置情報を取得することもできることが理解されよう。
【００３４】
さらに、付加的な機能、機能性、および／または有線または無線の接続性を提供する１つまたは複数のソフトウェアならびに／またはハードウェア・モジュールを含むことができる他の周辺機器１３８と処理装置１１８を結合することができる。周辺機器１３８は例えば、加速度計、電子コンパス、衛星送受信機、デジタル・カメラ（写真またはビデオ用）、ＵＳＢ（Universal Serial Bus）ポート、振動デバイス、テレビ送受信機、ヘッドホン（hands free headset）、Ｂｌｕｅｔｏｏｔｈ（登録商標）モジュール、ＦＭ（Frequency Modulated：周波数変調用）無線ユニット、デジタル音楽プレーヤー、メディア・プレーヤー、テレビ・ゲーム・プレーヤー・モジュール、インターネット・ブラウザー、および同様なものを含むことができる。
【００３５】
図１Ｃは、一実施形態によるＲＡＮ１０４およびコア・ネットワーク１０６の系統図である。上で述べたようにＲＡＮ１０４は、Ｅ−ＵＴＲＡ無線技術を採用し、無線インターフェイス１１６によりＷＴＲＵ１０２ａ、１０２ｂ、１０２ｃと通信することができる。
ＲＡＮ１０４はまた、コア・ネットワーク１０６と通信状態にあることができる。
【００３６】
ＲＡＮ１０４は、ｅノードＢ１４０ａ、１４０ｂ、１４０ｃを含むことができ、実施形態と首尾一貫している範囲であれば、ＲＡＮ１０４が如何なる数のｅノードＢを含むこともできることが理解されよう。無線インターフェイス１１６によりＷＴＲＵ１０２ａ、１０２ｂ、１０２ｃと通信するために、ｅノードＢ１４０ａ、１４０ｂ、１４０ｃはそれぞれ、１つまたは複数の送受信機を含むことができる。一実施形態において、ｅノードＢ１４０ａ、１４０ｂ、１４０ｃはＭＩＭＯ技術を実施することができる。したがってｅノードＢ１４０ａは例えば、複数のアンテナを使用し、ＷＴＲＵ１０２ａとの間で無線信号を送信しそして無線信号を受信することができる。
【００３７】
ｅノードＢ１４０ａ、１４０ｂ、１４０ｃのそれぞれは特定のセル（図示せず）に関連付けることができ、そして無線リソース管理判定、ハンドオーバー（handover）判定、上りリンクおよび／または下りリンクにおけるユーザーのスケジューリング、および同様なものを取り扱うように構成することができる。図１Ｃにおいて示されるように、ｅノードＢ１４０ａ、１４０ｂ、１４０ｃは、Ｘ２インターフェイスにより互いに通信することができる。
【００３８】
図１Ｃに示されるコア・ネットワーク１０６は、ＭＭＥ（Mobility Management Gateway：移動性管理ゲートウェイ）１４２、サービス（serving）ゲートウェイ１４４、およびＰＤＮ（Packet Data Network：パケット・データ・ネットワーク）ゲートウェイ１４６を含むことができる。以上の要素のそれぞれがコア・ネットワーク１０６の一部として描かれているが、そのコア・ネットワークオペレーター以外のエンティティがこれらの要素の何れか１つを所有しそして／または運用することができることが理解されよう。
【００３９】
ＭＭＥ１４２は、Ｓ１インターフェイスを介してＲＡＮ１０４中のｅノードＢ１４２ａ、１４２ｂ、１４２ｃのそれぞれに接続することができ、そして制御ノードとして機能することができる。ＭＭＥ１４２は例えば、ＷＴＲＵ１０２ａ、１０２ｂ、１０２ｃ、および同様なものの最初のアタッチ（attach）の間の、ＷＴＲＵ１０２ａ、１０２ｂ、１０２ｃのユーザーの認証、ベアラーの活性化／非活性化、特定のサービスゲートウェイの選択に関与することができる。ＭＭＥ１４２はまた、ＲＡＮ１０４およびＧＳＭまたはＷＣＤＭＡなどの、他の無線技術を採用する他のＲＡＮ（図示せず）の間の切り換えのための制御面機能を提供することができる。
【００４０】
Ｓ１インターフェイスを介してＲＡＮ１０４中のｅノードＢ１４０ａ、１４０ｂ、１４０ｃのそれぞれにサービスゲートウェイ１４４を接続することができる。一般にサービスゲートウェイ１４４は、ＷＴＲＵ１０２ａ、１０２ｂ、１０２ｃとの間でユーザー・データ・パケットを経路制御し（route）そして転送することができる。サービスゲートウェイ１４４はまた、ｅノードＢ間ハンドオーバーの間のユーザー面アンカー動作、ＷＴＲＵ１０２ａ、１０２ｂ、１０２ｃに対して下りリンク・データが利用可能になったときのページングの起動、ＷＴＲＵ１０２ａ、１０２ｂ、１０２ｃのコンテキストの管理および格納、ならびに同様なものなどの、他の機能を実行することもできる。
【００４１】
サービスゲートウェイ１４４はまた、ＰＤＮゲートウェイ１４６に接続することもでき、インターネット１１０などのパケット交換ネットワークへのアクセスをＷＴＲＵ１０２ａ、１０２ｂ、１０２ｃに提供し、ＷＴＲＵ１０２ａ、１０２ｂ、１０２ｃ、およびＩＰが可能なデバイスの間の通信を容易にすることができる。
【００４２】
コア・ネットワーク１０６は、他のネットワークとの通信を容易にすることができる。
コア・ネットワーク１０６は例えば、ＷＴＲＵ１０２ａ、１０２ｂ、１０２ｃにＰＳＴＮ１０８などの回線交換ネットワークへのアクセスを提供し、ＷＴＲＵ１０２ａ、１０２ｂ、１０２ｃ、および従来的な地上線（land-line）通信デバイスの間の通信を容易にすることができる。コア・ネットワーク１０６は例えば、コア・ネットワーク１０６およびＰＳＴＮ１０８の間のインターフェイスとして機能するＩＰゲートウェイ（例えばＩＭＳ（IP Multimedia Subsystem：ＩＰマルチメディア・サブシステム）サーバー）を含むことができ、またはこれと通信することができる。さらに加えてコア・ネットワーク１０６は、他のサービス・プロバイダーによって所有されそして／または運用される他の有線または無線のネットワークを含むことができるネットワーク１１２へのアクセスを、ＷＴＲＵ１０２ａ、１０２ｂ、１０２ｃに提供することができる。
【００４３】
図２は、例示される実施形態を実施する能力のある代表的システムを表現する。遠隔デバイス２１０は、データを通信し、発生させ、そして／または送信することができる何れのデバイスであることもできる。遠隔デバイス２１０は、アンテナ２１２を備えることができ、アンテナ２１２は、例えばＷＴＲＵ１０２への無線送信を送るために送信機２１１と結合される。送信機２１１を処理装置２１４が制御することができる。処理装置２１４は、汎用目的処理装置、専用目的処理装置、従来型の処理装置、ＤＳＰ（Digital Signal Processor：デジタル信号処理装置）、複数のマイクロ処理装置、ＤＳＰコアに関連付けられた１つまたは複数のマイクロ処理装置、コントローラー、マイクロ・コントローラー、ＡＳＩＣ（Application Specific Integrated Circuit：特定用途向けＩＣ）、ＦＰＧＡ（Field Programmable Gate Array）回路、他の何れかの種別のＩＣ（Integrated Circuit：集積回路）、状態マシン、および同様なものであることができる。処理装置２１４は、信号符号化、データ処理、電源制御、入力／出力処理、および／または遠隔デバイス２１０の機能を可能にする他の如何なる機能性をも実行することができる。図２では処理装置２１４および送信機２１１を別々の構成要素として表現しているが、処理装置２１４および送信機２１１を１つの電子パッケージまたはチップ中に一緒に集積することができることが理解されよう。
【００４４】
処理装置２１４は、遠隔デバイス２１０の動作を記述するコンピューター読み込み可能な具体的な媒体上に格納された命令を実行することができる。命令はメモリ２１５上に格納することができる。メモリ２１５は、データまたは命令を格納するために適切な具体的な如何なる構成要素、システム、またはサブシステムであることもできる。メモリ２１５は、ＲＡＭ（Random-Access Memory：ランダム・アクセス・メモリ）などの揮発性メモリまたはＲＯＭ（Read-Only Memory：読み出し専用メモリ）、フラッシュ・メモリ、磁気記憶装置、および同様なものなどの非揮発性メモリであることができる。一実施形態においては、遠隔デバイス２１０は送信専用デバイスである。別の実施形態においては、遠隔デバイス２１０はまた無線通信を受信するためにアンテナ２１２および処理装置２１４と結合された受信機を含むことができる。
【００４５】
遠隔デバイス２１０はまた、センサー２１３を含むことができる。センサー２１３は、動き、光、熱、温度、電圧、電力、圧力、物質の存在または欠落、状態における変化、または同様なものなどの刺激を検出する能力のある如何なるデバイスであることもできる。
センサー２１３は、能動素子、または受動ＲＦＩＤ（Radio Frequency Identification：無線周波数個体識別）デバイスなどの受動素子であることができる。代表的一実施形態においてセンサー２１３は、街灯の球が切れていないかを判定するために光を検出することができる。当業者は、センサー２１３が極めて多くの刺激を監視することが可能であり、そして多くの可能な状態下で動作できることを認識するであろう。遠隔デバイス２１０から物理的に分離しているが、しかしそれと動作可能な通信をすることができる。あるいはまた、遠隔デバイス２１０の中にそれを収容することができる。
【００４６】
遠隔デバイス２１０は多くのデバイスを監視し、適切な動作を確実にすることができる。遠隔デバイス２１０は例えば、自動販売機、パーキング・メーター、使用量計、街路灯故障探知器等を監視することができる。遠隔デバイス２１０は固定位置にあることができ、またはバス、車、列車、飛行機、人、パッケージ、動物等のように移動性であることができる。
【００４７】
遠隔デバイス２１０はまた、ＷＴＲＵ１０２ａ、ＷＴＲＵ１０２ｂ、…、ＷＴＲＵ１０２ｎに、通信リンク２１６ａ、２１６ｂ、…、２１６ｎを介して送信することができる。
実施形態では、図２においてＷＴＲＵ１０２ａ、ＷＴＲＵ１０２ｂ、…、ＷＴＲＵ１０２ｎ（ＷＴＲＵ１０２）によって表される、遠隔デバイス２１０からデータ・・パーセル（data parcel）を受信する能力がある多数のＷＴＲＵを想定する。通信リンク２１６は、遠隔デバイス２１２がデータ・パーセルをＷＴＲＵ１０２に送ることができる如何なる種別の通信方式であることもできる。通信リンク２１６は例えば、ＩＥＥＥ８０２．１１方式を実施するＷｉ−Ｆｉであることができる。別の実施形態においては、通信リンク２１６はＢｌｕｅｔｏｏｔｈであることができる。通信リンク２１６は片方向性リンクであり、遠隔デバイス２１０が一方的にＷＴＲＵ１０２にデータを送ることを可能とするか、または双方向性リンクであり、遠隔デバイス２１０およびＷＴＲＵ１０２の間の何れの方向でも通信を可能とすることができる。
【００４８】
ＷＴＲＵ１０２ａ、ＷＴＲＵ１０２ｂ、…、ＷＴＲＵ１０２ｎはまた、ネットワーク２２０および通信リンク２１７ａ、２１７ｂ、…、２１７ｎを介してサーバー２３０と通信状態にある。ＷＴＲＵ１０２は例えば、図１Ａにおいて表現された通信システム１００を介してネットワーク２２０に接続することができる。あるいはまた、ＷＴＲＵ１０２がＷｉ−Ｆｉ接続または他の種別の無線通信方式によってネットワーク２２０に接続することができる。ＷＴＲＵ１０２は、インターネットまたはプライベート接続を介してネットワーク２２０に接続することができる。サーバー２３０は、遠隔デバイス２１０からのデータを収集しまたは維持する如何なるデバイスであることもできる。サーバー２３０は、ＲＡＭ、ＲＯＭ、フラッシュ・メモリ、磁気記憶デバイス、および同様なものなどのデータを格納するためのメモリを含むことができる。サーバー２３０はまた、例えばウェブ・サーバーを介する、通信インターフェイスを含むこともできる。
【００４９】
図３は、図２において説明されたシステムにおいて例示される実施形態を実施するための代表的方法のフロー図である。３００にて、遠隔デバイス２１０上のセンサー２１３は、センサー・データを発生させる刺激を受け取る。遠隔デバイス２１０は、連続して、予め定められた間隔にて、刺激に対応しておよび／または無作為間隔にて、センサー・データを発生することができる。遠隔デバイス２１０は、メモリ２１５中にセンサー・データを格納することができ、または送信機２１１およびアンテナ２１２を介してデータを直ちに送信することができる。遠隔デバイス２１０は、センサー・データのための送信先としてサーバー２３０を特定するが、しかしながら遠隔デバイス２１０は、サーバー２３０と直接通信することができないことがある。これは、遠隔デバイス２１０がサーバー２３０と有効な通信方式を共有しないが故である場合がある。遠隔デバイス２１０は、それが低電力デバイスであったり、そしてサーバー２３０が範囲外であったりするが故に、サーバー２３０と通信することができないことがある。サーバー２３０は、ネットワーク２２０を介してのみアクセスすることができ、そして遠隔デバイス２１０は、ネットワーク２２０にアクセスすることができないことがある。
【００５０】
３０５にて遠隔デバイス２１０は、データが利用可能であるとブロードキャストする。
ブロードキャストは、特定のデバイスに、デバイスのグループに、特定の種別のデバイスに、ある会員資格を有するデバイスに、特定のアプリケーションを実行するデバイスに、すべてのデバイスに、等に向けることができる。一実施形態においては、遠隔デバイス２１０は送信専用デバイスであることができ、それによりそれがＷＴＲＵ１０２によって受け取られたか否かを知ることなく、センサー・データを含むデータ・パーセルを送信することになる。この場合においてＷＴＲＵ１０２は、３１０にて通信リンク２１６を介してデータ・パーセルを受信することによって、遠隔デバイス１０２を発見することになる。
あるいはまた、通信リンク２１６によって送出および受信の両方が可能であるように、遠隔デバイスは受信機を備えることができる。
【００５１】
さらに別の実施形態において遠隔デバイス２１０は、ハンドシェイク方式によるなどによりＷＴＲＵ１０２との有効な通信を確立するために通信リンク２１６により制御信号を受信する能力を有する。この場合において遠隔デバイス２１０は、一方的にデータを通信することができる。例えば、遠隔デバイス２１０はＷＴＲＵ１０２にデータを送るが、ＷＴＲＵ１０２は通信セッションを確立するために遠隔デバイス１０２に依然として制御信号を送ることができるのも拘わらず、ＷＴＲＵ１０２は遠隔デバイス１０２にデータを送ることができない。遠隔デバイス２１０はまた、データが利用可能であることをブロードキャストする前に、例えばＷＴＲＵによる無線送信を検出することによって、その近傍のＷＴＲＵを検索することができる。別の例においては、遠隔デバイス２１０は動き探知器を備え、ＷＴＲＵ１０２の通りすがりが何時その近傍一般内に入ったかを判定することができる。ＷＴＲＵ１０２はまた、能動的にまたは受動的に遠隔デバイス２１０を検索することができる。
【００５２】
遠隔デバイス２１０はまた、電力、メモリ、または他のリソースを節約するために、データ・パーセルまたはデータが利用可能であるという表示をブロードキャストする速度を適合させることができる。通常は、残存する電力および／またはメモリの量が少ないと、データ・パーセル送信の周波数が減少するであろう。さらに加えて遠隔デバイスは、その時点のリソース、例えばサーバー２３０に送られるべきデータ中に残っている電力／メモリ、の表示を含むことができる。別の実施形態においては、遠隔デバイスが動作していることが知られている領域において遠隔デバイス２１０からのブロードキャストを探すことによって、遠隔デバイスＷＴＲＵ１０２は電力および他のリソースを節約することが可能である。
【００５３】
ＷＴＲＵ１０２は３１０にて、遠隔デバイス１０２からサーバー２３０に送るべく準備ができているデータを有することを表すブロードキャスト信号を受信することによって、遠隔デバイス２１０を発見する。代表的実施形態においてＷＴＲＵ１０２は３１０にて、ブロードキャストを受信し、例えばハンドシェイクを介して通信リンク２１６を確立することになる。例えばＢｌｕｅｔｏｏｔｈデバイスは、データを交換する前に、互いに対となることができる。遠隔デバイス２１０を発見した後に３１５にてＷＴＲＵ１０２は、遠隔デバイス２１０からデータを収集するサーバー２３０を識別することができる。ＷＴＲＵ１０２は例えば、データを収集するサーバー２３０を判定するために、遠隔デバイス２１０の識別情報を使用するアプリケーションを実行しているかもしれない。ＷＴＲＵ１０２は別の例においては、センサー２１３の識別情報に基づきサーバーを識別することができる。あるいはまた、遠隔デバイス２１０からの送信中に含まれるデータに基づきＷＴＲＵ１０２はサーバー２３０を識別することができる。
【００５４】
ＷＴＲＵ１０２は３２０にて、遠隔デバイス２１０からセンサー・データを受信する。
ＷＴＲＵ１０２は、データを受信する前に、受信中に、または受信した後に、サーバー２３０を識別することができるので、３１５および３２０の順序は交換可能であってよいことを理解することが可能である。遠隔デバイス２１０は一実施形態においては送信専用デバイスであり、そしてＷＴＲＵ１０２は受信したデータ・パーセルに基づき、遠隔デバイス２１０を識別することができる。遠隔デバイス２１０からＷＴＲＵ１０２に送られるデータは、通信リンク２１６を介して送られる。データは一実施形態においては、Ｂｌｕｅｔｏｏｔｈまたは他の低電力無線通信方式によって送られる。
【００５５】
ＷＴＲＵ１０２は３２５にて、遠隔デバイス２１０から受信されたデータをサーバー２３０へ送るためのネットワーク接続が利用可能か否かを判定する。例えばＷＴＲＵがサービス範囲外であり、何れの接続も利用可能でない場合には、３３０にてＷＴＲＵ１０２はセンサー・データを、後でそれをサーバー２３０に送ることが可能なように、格納する。
あるいはまた、ＷＴＲＵ１０２が遠隔デバイス２１０からデータ・パーセルを受けたときに、ネットワーク接続が利用可能であっても、それでもやはり後で送信するためにセンサー・データを格納することができる。ＷＴＲＵ１０２は例えば、第２のデータ・パーセルをサーバー２３０に送ることの、絶対的または相対的コスト、セキュリティ、または帯域幅に基づく時間にわたって、データを格納することができる。データを格納するべきか否か、またはどの位の間データを格納するべきかの判定は、特定の指標、例えばパケット送信のコスト（すなわち価格）、必要な帯域幅、送信電力等、を最小にするために為すことができる。ＷＴＲＵ１０２は一実施形態においては、ある位置にてまたはその近傍で、または負荷の軽いセルまたはセクターにては、送信の発生を制限することができる。特定のＷＴＲＵまたはネットワークの目的を達成するために、例えばＷＴＲＵのバッテリーがすぐ無くなることを回避するために、またはネットワーク輻輳を最小にしまたはオフ・ピーク時の間にネットワークにアクセスするために、指標または他の送信規則を選ぶことができる。ＷＴＲＵはまた、通常十分に活用されていない位置またはパケットの収集のために設計されまたは最適化された収集ポイントの近くにて送信するために、データを保存することができる。
【００５６】
３２５にて接続が利用可能である場合には、ＷＴＲＵ１０２は３３５にて、サーバー２３０にデータを送信する。ＷＴＲＵ１０２は、自動的にデータを送ることができ、またはデータ・パーセルを送信するためにその所有者から許可を必要とすることができる。ＷＴＲＵ１０２は例えば、データを送るためにセルラー方式のデータ・ネットワークを介してインターネットに接続することができる。別の実施形態においては、それはＳＭＳ（Short Message Service：ショート・メッセージ・サービス）を介してサーバー２３０にデータを送ることができる。ＷＴＲＵ１０２はさらに別の実施形態においては、ＩＰまたはＵＤＰ方式または同様なものを介してインターネットによりＷｉＦｉ接続を介してサーバー２３０へデータ・パーセルを送ることができる。ＷＴＲＵ１０２からサーバー２３０にデータを送るために、他の多数の同様な方式があることを理解することが可能である。
【００５７】
また、図２および図３中に表現された実施形態が、遠隔デバイス１０２からデータ・パーセルを受信し、そしてデータ・パーセルをサーバー２３０に送るためにＷＴＲＵ１０２を使用するが、遠隔デバイス２１０およびサーバー２３０の両方の間の動作可能な通信をする能力のある如何なるデバイスをも使用することができることを理解することが可能である。実施形態では、上で説明された方法を実施する、図２中にてＷＴＲＵ１０２ａ、ＷＴＲＵ１０２ｂ、…、ＷＴＲＵ１０２ｎによって表された、多数のＷＴＲＵを想定する。
遠隔デバイス２１０は、１つまたは複数のＷＴＲＵ１０２にデータをブロードキャストすることができ、そしてサーバー２３０への配信を確実にするために、冗長な送信が必要である場合がある。サーバー２３０は、センサー・データを含むデータ・パーセルを受信した後に、次にセンサー情報を含むデータベースを更新することができる。加入者またはセンサー所有者は次に、センサー・データを閲覧し、またはダウンロードするためにデータベースにアクセスすることができる。サーバー２３０はまた、ＷＴＲＵ１０２からのデータの配信に際して、データを直接センサー所有者に送ることができる。サーバー２３０はさらに加えて、ウェブ・サーバーとして機能し、そしてセンサー・データをインターネットにより利用可能にすることができる。サーバー２３０はまたセンサー・データに加えて、システムに対する課金情報を展開するために、ＷＴＲＵ１０２および／または遠隔デバイス２１０に対する識別情報を格納することができる。サーバー２３０はまた、以前に報告されたセンサー・データへのアクセスを制御することができる。
【００５８】
実施形態は、ＷＴＲＵ１０２についての多数の種別の実施方法を想定する。一実施形態においてはＷＴＲＵ１０２の所有者は、ＷＴＲＵ１０２が、遠隔デバイス２１０からデータを受信し、そして／またはサーバー２３０にデータを送っていることを承知していない場合がある。システムはまた、ＷＴＲＵ１０２に格納することができるものより古いデータ・パーセルを自動的に削除するように設計することができる。ＷＴＲＵ１０２は別の実施形態においては、例えば表示または音を介してＷＴＲＵ所有者に、または応答送信を介して遠隔デバイス２１０に、ＷＴＲＵ１０２がデータを受信し、または送っていることを表す通知を提供することができる。ＷＴＲＵ１０２はまた、データ・パーセルが首尾よくサーバー２３０に配信されていることを表す確認応答をサーバー２３０から受信することができる。サーバー２３０はまた、その地理的近傍にある他の遠隔デバイスの一覧表をＷＴＲＵ１０２に送ることができる。サーバー２３０はまた、ＷＴＲＵ１０２から遠隔デバイス２１０へ配信されるべきメッセージまたは命令をＷＴＲＵ１０２に送ることができる。命令は、遠隔デバイス２１０からのセンサー・データの受信に対応するもの、またはＷＴＲＵ１０２が遠隔デバイス２１０と同一地理的近傍にあるという認識に基づくものであることができる。サーバー２３０はまた、遠隔デバイス２１０から受信したデータを有するＷＴＲＵ１０２の識別情報の履歴を維持することができる。サーバー２３０は、何れのＷＴＲＵ１０２が遠隔デバイス１０２と最も頻繁に接触しているかを認識するためにこの履歴を使用することができる。
【００５９】
図４は、例示される実施形態を実施する能力のある代表的システムを表現する。遠隔デバイス４００は、ネットワーク４３０に含まれるネットワーク・デバイス４５０ａ、ネットワーク・デバイス４５０ｂ、…、ネットワーク・デバイス４５０ｎ（ネットワーク・デバイス４５０）が利用するかも知れない、データ、コンテンツ、処理能力、または他の情報を有するデバイスであることができる。遠隔デバイス４００はしかしながら、ネットワーク・デバイス４５０と直接的に通信する能力がない場合がある。図４は、ＣＧＷ（Central GateWay：中央ゲートウェイ）４４０に遠隔デバイス４００を登録するための有効な通信システムであり、ＣＧＷは、ネットワーク４３０上にて利用可能なデバイスおよびコンテンツの一覧表を維持し、それにより遠隔デバイスをネットワーク・デバイス４５０にとって利用可能にする。
【００６０】
遠隔デバイス４００は、通信リンク４２０を介する有効な無線通信のためにアンテナ４０４と結合された送受信機４０３を含むことができる。遠隔デバイス４００はまた、送受信機４０３を制御するための処理装置４０１を含むことができる。処理装置４０１はまた、処理装置４０１によって実行されるべきデータおよび／または命令を含むことができるメモリ４０２にアクセスすることができる。実施形態は、遠隔デバイス４００がネットワーク４３０と直接的に通信することができないと想定する。遠隔デバイス４００は例えば、ネットワーク４３０によってサポートされていないレガシー通信インターフェイスを有するレガシー・デバイスであることができる。代表的レガシー通信インターフェイスはＢｌｕｅｔｏｏｔｈであることができる。他の実施形態においては、遠隔デバイス４００がネットワーク４３０の範囲の外にあり、または共通的通信方式を共有するにも拘わらずネットワーク通信可能性の乏しい領域に位置しているが故に、遠隔デバイス４００はネットワーク４００と通信することができないことがある。遠隔デバイス４００は一実施形態においては、電力的に制約されている場合があり、そしてネットワーク４３０との逆リンクを閉じるために充分な送信電力を有さない。
【００６１】
無線デバイス４１０は、遠隔デバイス４００およびネットワーク４３０の両方と通信する能力があることができる。無線デバイス４１０は、通信リンク４２０および／または通信リンク４２２を介する有効な無線通信のためにアンテナ４１４と結合された送受信機４１３を含むことができる。無線デバイス４１０はまた、送受信機４１３を制御するための処理装置４１１を含むことができる。処理装置４１１はまた、処理装置４１１によって実行されるべきデータおよび／または命令を含むことができるメモリ４１２にアクセスすることができる。無線デバイス４１０は例えば、ＷＴＲＵ１０２であることができる。無線デバイス１０２は別の例においては、遠隔デバイス４００およびネットワーク４３０の両方と有効な通信をする能力のある如何なるデバイスであることもできる。
【００６２】
ネットワーク４３０は、さまざまなコンテンツおよび処理能力を有する多数の他のデバイスを含む。例えばネットワーク・デバイス４５０は、パーソナル・コンピューター、ＷＴＲＵ、プリンタ、ルーター、サーバー、カメラ、またはネットワーク４３０と通信する能力のある他の如何なるデバイスであることもできる。ネットワーク４３０はまた、ネットワーク４３０に含まれるすべてのデバイスの識別、コンテンツ、および／または能力の一覧表を維持するＣＧＷ４４０を含む。ＣＧＷ４４０は、ネットワーク４３０の要素がアクセス可能なデバイスに対する登録情報の一覧表を維持するための、ＣＳＤ（Content and Services Database）などの、論理的エンティティを含むことができる。ＣＳＤに含まれる一覧表には、デバイスの能力、ネットワーク・アドレス、位置、デバイスに格納されるコンテンツ、デバイスによるコンテンツ要求、遠隔デバイス４００にコンタクトするために必要な無線デバイス４１０に対するアドレス指定情報、または同様なものを含むことができる。ＣＧＷ４４０は、ネットワーク・デバイス４５０のすべてまたはその一部にとってアクセス可能であることができる。
【００６３】
図５は、図４によって開示されたシステムについての実施形態を実施する代表的方法のフロー図である。無線デバイス４１０は、５００にて遠隔デバイス４００などのレガシー・デバイスを検索する。レガシー・デバイスは、ネットワーク４３０と直接的に通信することができない何れかのデバイスである。遠隔デバイス４００は例えば、Ｂｌｕｅｔｏｏｔｈ方式をサポートすることができるのみであり、一方ネットワーク４３０は、ＩＥＥＥ８０２．１１規格を介しての通信をサポートすることができるのみであるＷｉ−Ｆｉネットワークであることができる。無線デバイス４１０は５０５にて、遠隔デバイス４００を識別し、そして次に通信リンク４２０を介して通信を確立する。無線デバイス４１０は例えば、遠隔デバイス４００との接続を確立するために、そのユーザーまたは所有者による許可を必要とすることができる。あるいはまた、予め定められた設定または遠隔デバイス４００との以前の通信セッションまたは同様なものに基づき、遠隔デバイス４００に自動的に接続するように無線機器を構成することができる。
【００６４】
５１０にて、遠隔デバイス４００の登録情報を遠隔デバイス４００は発信し、そして無線デバイス４１０は受信する。登録情報は例えば、遠隔デバイス４００に対する識別情報であることが可能である。登録情報はまた、写真またはビデオの表示、印刷、データ処理、刺激検出、コンテンツ格納、利用可能リソース、または同様なものなどの遠隔デバイス４００の能力を含むことが可能である。登録情報はまた、遠隔デバイス４００で格納されたコンテンツまたは他のデータを含むことが可能である。
【００６５】
無線デバイス４１０は５１５にて、遠隔デバイス４００がＣＧＷ４４０に登録されているか否かを判定する。無線デバイス４１０は、通信リンク４２２および／またはネットワーク４３０を介してＣＧＷにコンタクトすることができる。無線機器は、ネットワーク上に含まれるすべてのデバイスの一覧表についてＣＧＷ４４０に問い合わせすることができる。無線デバイス４１０は別の実施形態においては、遠隔デバイス４００に対する識別情報をＣＧＷ４４０に送ることができ、そしてＣＧＷ４４０は、遠隔デバイス４００が既に登録されているか否かを判定することができる。遠隔デバイス４００が既にＣＧＷ４４０に登録されていると判定された場合には、５３０にて遠隔デバイス４００に対して利用可能なコンテンツがあるか否か、または遠隔デバイス４００に位置するコンテンツについての要求があるか否か、を判定するために無線機器はＣＧＷ４４０に問い合わせすることができる。遠隔デバイス４００がＣＧＷ４４０に登録されていないと判定された場合には、無線デバイス４１０は、５１０にてそれが遠隔デバイス４００から受信した登録情報を、５２０にてＣＧＷ４４０に送る。
【００６６】
ＣＧＷ４４０は５２５にて、無線デバイス４１０から登録情報を受信し、そして利用可能なデバイスの一覧表に遠隔デバイス４００を追加するに至る。ＣＧＷ４４０はまた、遠隔デバイス４００が一覧表に追加されたこと、および／または無線デバイス４１０を介して遠隔デバイス４００にコンタクトすることができることを、ネットワーク・デバイス４５０に通報することができる。無線デバイス４１０は５３０にて、遠隔デバイス４００に利用可能なコンテンツがあるか否か、または遠隔デバイス４００からのコンテンツについて要求があるか否かを判定するために、ＣＧＷ４４０に問い合わせすることができる。実施形態は、遠隔デバイス４００には利用可能なコンテンツがあるという通知をＣＧＷ４４０から受信すると、ネットワーク・デバイス４５０が無線デバイス４１０にコンタクトし、遠隔デバイス４００からコンテンツを要求する場合があることを想定する。さらに加えて、ネットワーク・デバイス４５０は無線デバイス４１０にコンタクトし、遠隔デバイス４００にコンテンツを送る場合がある。さらに別の実施形態においては遠隔デバイス４００は、無線デバイス４１０を介してＣＧＷ４４０から利用可能なコンテンツの一覧表を受信し、そして次に無線デバイス４１０を介してネットワーク・デバイス４５０からコンテンツを要求することができる。
【００６７】
特徴および要素が上で特定の組み合わせにて記述されているが、通常の当業者は、それぞれの特徴または要素が単独にて、または他の特徴および要素との何れの組み合わせにても使用可能であることを理解するであろう。さらに加えて、本明細書において説明される方法は、コンピューターまたは処理装置による実行のための、コンピューターにて読み取り可能な媒体に組み込まれるコンピューター・プログラム、ソフトウェア、またはファームウェアにて実施することができる。コンピューターにて読み取り可能な媒体の例には、電子信号（有線または無線接続により送信される）およびコンピューターにて読み取り可能な記憶装置媒体が含まれる。コンピューターにて読み取り可能な記憶装置媒体の例としては、限定的ではなく、ＲＯＭ（Read-Only Memory：読み出し専用メモリ）、ＲＡＭ（Random Access Memory：ランダム・アクセス・メモリ）、レジスタ、キャッシュ・メモリ、半導体メモリ・デバイス、内蔵ハード・ディスクおよび脱着可能ディスクなどの磁気媒体、磁気−光学媒体、ならびにＣＤ−ＲＯＭディスクおよびＤＶＤ（Digital Versatile Disk：デジタル多用途ディスク）などの光学媒体が含まれる。ＷＴＲＵ、ＵＥ、端末、基地局（base station）、ＲＮＣ、または任意のホスト・コンピューターにおいて使用するための無線周波数送受信機を実施するために、ソフトウェアに関連付けられた処理装置を使用することができる。
【図１Ａ】
2014241647.tif 000003
【図１Ｂ】
2014241647.tif 000004
【図１Ｃ】
2014241647.tif 000005
【図２】
2014241647.tif 000006
【図３】
2014241647.tif 000007
【図４】
2014241647.tif 000008
【図５】
2014241647.tif 000009